(57)【要約】  エレベータシステム１０００では、エレベータ乗場に設置された乗場行先階呼び登録装置１００Ａ、１００Ｂが、行先階を登録するための０〜９のそれぞれの数字を持った釦から構成されるテンキーなどの行先階登録釦１０１とは別に、利用客が身体障害者であることを申告する身障者釦１０２を備えた。例えば乗場行先階呼び登録装置１００Ａにおいて身障者釦１０２が押されると共に行先階呼びが入力されると、群管理制御装置３００は、行先階呼びを登録すると共に、行先階呼びに対して割当てるべきかごを決定し、割当ての決定したかごに対応するチャイムを鳴動させ、かつ、ホールランタンを点灯させる。このように、群管理制御装置３００は身障者釦１０２が押された場合にのみ、チャイムを鳴動させ、ホールランタンを点灯させる。
2009141901.tif 000002
【特許請求の範囲】
【請求項１】
エレベータに対する行先階呼びを受け付ける行先階受付部と、操作されると身体障害者であることの申告を受け付けて身体障害者であることを示す身体障害者信号を出力する身体障害者申告受付部とを有し、前記エレベータの乗場に設置される呼び受付装置と、
前記行先階受付部により受け付けられた前記行先階呼びを登録するとともに前記行先階受付部により前記行先階呼びが受け付けられたときに前記身体障害者申告受付部から前記身体障害者信号が出力された場合には、登録された前記行先階呼びに対して割り当てるべきエレベータかごを複数のエレベータかごの中から決定し、かつ、決定された前記エレベータかごの乗場側の扉であって前記呼び受付装置が設置された前記乗場の乗場側の扉に対応して設置されている前記エレベータかごの割り当て決定を通報する通報装置を動作させる群管理制御装置と
を備えたことを特徴とするエレベータシステム。
【請求項２】
前記群管理制御装置は、
前記行先階受付部により前記行先階呼びが受け付けられたときに前記身体障害者申告受付部から前記身体障害者信号が出力された場合には、登録された前記行先階呼びに対して割り当てるべき前記エレベータかごを、身体障害者用として予め設定されている少なくとも１台の身体障害者用のエレベータかごの中から決定することを特徴とする請求項１記載のエレベータシステム。
【請求項３】
前記通報装置は、
前記通報として所定の音声を発生する音声発生装置であることを特徴とする請求項１または２のいずれかに記載のエレベータシステム。
【請求項４】
前記通報装置は、
前記通報として光を発する発光装置であることを特徴とする請求項１または２のいずれかに記載のエレベータシステム。
【請求項５】
前記通報装置は、
前記通報として所定の情報を表示する表示装置であることを特徴とする請求項１または２のいずれかに記載のエレベータシステム。
【請求項６】
エレベータに対する行先階呼びを受け付けて出力する行先階受付部と、操作されると身体障害者であることの申告を受け付けて身体障害者であることを示す身体障害者信号を出力する身体障害者申告受付部とを有するとともに前記エレベータの乗場に設置される呼び受付装置から、前記行先階呼びと前記身体障害者信号とを入力する入力部と、
前記入力部により入力された前記行先階呼びを登録するとともに前記行先階呼びが入力されたときに前記身体障害者信号が入力された場合には、登録された前記行先階呼びに対して割り当てるべきエレベータかごを複数のエレベータかごの中から決定し、かつ、決定された前記エレベータかごの乗場側の扉であって前記呼び受付装置が設置された前記乗場の乗場側の扉に対応して設置されている前記エレベータかごの割り当て決定を通報する通報装置を動作させる呼び登録部と
を備えたことを特徴とする群管理制御装置。
【発明の詳細な説明】
【技術分野】
【０００１】
この発明は、身体障害者によるエレベータの利用性を向上するするエレベー夕システム及び群管理制御装置に関する。
【背景技術】
【０００２】
複数のエレベータがビル内に設置される場合、エレベータシステムの群管理制御装置は、乗客の待ち時間の短縮化や、乗客の目的階までの輸送を完了する時間の短縮化を図るため、複数のかごから行先階によって割当てるかごを選択し乗客を振分ける。【０００３】
特許文献１に開示されているエレベータの乗場表示装置では、乗場に乗客の行先階呼びを乗場呼びと共に登録する手段を備え、行先階呼びが登録されると群管理装置は、応答するのに最適なかごを選択し、選択されたかごに対応するホールランタンを点灯して予報するとともに、乗場の行先階呼び登録装置に割当かごの番号を表示する。【０００４】
【特許文献１】特開２０００−２７２８５０号公報
【発明の開示】
【発明が解決しようとする課題】
【０００５】
従来のエレベータシステムでは、ある乗場からの行先階呼びが入力されるたびにホールランタンが点灯し、２台目や３台目のかごに割当てられた利用客は、ホールランタンが点灯しているかごの内、どれが自分の乗り込むべきかごかの判断がつき難い。【０００６】
また、多くのかごを割当てた場合、かご台数分のホールランタンを点灯させることになり、多くの電源容量が必要となる。【０００７】
この発明は、利用客の中でもより誘導が必要な利用客、例えば身体障害者のみにホールランタンによる誘導を行うことで、上記のような課題を解決することを目的とする。
【課題を解決するための手段】
【０００８】
この発明のエレベータシステムは、
エレベータに対する行先階呼びを受け付ける行先階受付部と、操作されると身体障害者であることの申告を受け付けて身体障害者であることを示す身体障害者信号を出力する身体障害者申告受付部とを有し、前記エレベータの乗場に設置される呼び受付装置と、
前記行先階受付部により受け付けられた前記行先階呼びを登録するとともに前記行先階受付部により前記行先階呼びが受け付けられたときに前記身体障害者申告受付部から前記身体障害者信号が出力された場合には、登録された前記行先階呼びに対して割り当てるべきエレベータかごを複数のエレベータかごの中から決定し、かつ、決定された前記エレベータかごの乗場側の扉であって前記呼び受付装置が設置された前記乗場の乗場側の扉に対応して設置されている前記エレベータかごの割り当て決定を通報する通報装置を動作させる群管理制御装置と
を備えたことを特徴とする。【０００９】
前記群管理制御装置は、
前記行先階受付部により前記行先階呼びが受け付けられたときに前記身体障害者申告受付部から前記身体障害者信号が出力された場合には、登録された前記行先階呼びに対して割り当てるべき前記エレベータかごを、身体障害者用として予め設定されている少なくとも１台の身体障害者用のエレベータかごの中から決定することを特徴とする。【００１０】
前記通報装置は、
前記通報として所定の音声を発生する音声発生装置であることを特徴とする。【００１１】
前記通報装置は、
前記通報として光を発する発光装置であることを特徴とする。【００１２】
前記通報装置は、
前記通報として所定の情報を表示する表示装置であることを特徴とする。【００１３】
この発明の群管理制御装置は、
エレベータに対する行先階呼びを受け付けて出力する行先階受付部と、操作されると身体障害者であることの申告を受け付けて身体障害者であることを示す身体障害者信号を出力する身体障害者申告受付部とを有するとともに前記エレベータの乗場に設置される呼び受付装置から、前記行先階呼びと前記身体障害者信号とを入力する入力部と、
前記入力部により入力された前記行先階呼びを登録するとともに前記行先階呼びが入力されたときに前記身体障害者信号が入力された場合には、登録された前記行先階呼びに対して割り当てるべきエレベータかごを複数のエレベータかごの中から決定し、かつ、決定された前記エレベータかごの乗場側の扉であって前記呼び受付装置が設置された前記乗場の乗場側の扉に対応して設置されている前記エレベータかごの割り当て決定を通報する通報装置を動作させる呼び登録部と
を備えたことを特徴とする。
【発明の効果】
【００１４】
この発明によれば、身体障害者は直ちに自分の乗り込むべきかごを判断することができ、乗るべきかごにスムーズに移動できる。また、身体障害者のみにホールランタンの点灯を行うため、点灯のための電源容量を低減できる。
【発明を実施するための最良の形態】
【００１５】
実施の形態１．
図１は、実施の形態１のエレベータシステム１０００の乗場行先階呼び登録装置１００Ａあるいは群管理制御装置３００のハードウェア資源の一例を示す図である。なお、後述する乗場行先階呼び登録装置１００Ｂは、乗場行先階呼び登録装置１００Ａと同様のハードウェア構成である。乗場行先階呼び登録装置１００Ａ、群管理制御装置３００は、いずれも図１に示すようなハードウェア資源を有するコンピュータである。以下、図１は群管理制御装置３００を対象として説明するが、群管理制御装置３００についての説明は、同様に、乗場行先階呼び登録装置１００Ａにも当てはまる。【００１６】
図１において、群管理制御装置３００は、プログラムを実行するＣＰＵ８１０（Ｃｅｎｔｒａｌ  Ｐｒｏｃｅｓｓｉｎｇ  Ｕｎｉｔ）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、表示部８１３、操作キー８１４、通信ボード８１６、磁気ディスク装置８２０と接続され、これらのハードウェアデバイスを制御する。磁気ディスク装置８２０の代わりに、フラッシュメモリなどの記憶装置でもよい。なお、図１は一例であり、群管理制御装置３００は、表示装置８１３や操作キー８１４を備えない構成でも構わない。ただし、乗場行先階呼び登録装置１００Ａの場合は、表示装置８１３（後述する表示回路部１３０）、操作キー８１４（後述する行先階登録釦１０１及び身障者釦１０２に相当）を備える。【００１７】
ＲＡＭ８１２は、揮発性メモリの一例である。ＲＯＭ８１１、磁気ディスク装置８２０等の記憶媒体は、不揮発性メモリの一例である。これらは、記憶装置あるいは記憶部、格納部の一例である。通信ボード８１６、操作キー８１４などは、入力部、入力装置の一例である。また、通信ボード８１６、表示部８１３などは、出力部、出力装置の一例である。【００１８】
通信ボード８１６は、ネットワークに接続されている。乗場行先階呼び登録装置１００Ａ、群管理制御装置３００、後述のかご制御装置２００Ａ、２００Ｂ（かご制御装置は、各台制御装置とも呼ばれる）はネットワークにより接続されており、互いに情報通信を行うことができる。【００１９】
磁気ディスク装置８２０には、オペレーティングシステム８２１（ＯＳ）、プログラム群８２２、ファイル群８２３が記憶されている。プログラム群８２２のプログラムは、ＣＰＵ８１０、オペレーティングシステム８２１により実行される。【００２０】
上記プログラム群８２２には、以下に述べる実施の形態の説明において「〜部」として説明する機能を実行するプログラムが記憶されている。プログラムは、ＣＰＵ８１０により読み出され実行される。【００２１】
ファイル群８２３には、以下に述べる実施の形態の説明において、「〜の判定結果」、「〜の算出結果」、「〜の抽出結果」、「〜の生成結果」、「〜の処理結果」として説明する情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。【００２２】
また、以下に述べる実施の形態の説明において「〜部」、として説明するものは、「〜手段」、「〜装置」、「〜回路」、「〜機器」であってもよく、また、「〜ステップ」、「〜手順」、「〜処理」であってもよい。すなわち、「〜部」として説明するものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。プログラムはＣＰＵ８１０により読み出され、ＣＰＵ８１０により実行される。すなわち、プログラムは、以下に述べる「〜部」としてコンピュータを機能させるものである。【００２３】
図２は、実施の形態１のエレベータシステム１０００のシステム構成図である。図２において、群管理制御装置３００には、各かご２５０Ａ、２５０Ｂを個別に制御するかご制御装置２００Ａ、２００Ｂと、乗場に設置された乗場行先階呼び登録装置１００Ａ、１００Ｂ（呼び受付装置）とが、ネットワーク７００を介して接続されている。なお、図２では２台のかご制御装置、２台の乗場行先階呼び登録装置を示しているが例示である。乗場行先階呼び登録装置、かご制御装置等は２台以上の複数台で構わない。【００２４】
この実施の形態１のエレベータシステム１０００では、乗場に設置された乗場行先階呼び登録装置が、行先階を登録するための０〜９のそれぞれの数字を持った釦から構成されるテンキーなどの行先階登録釦１０１とは別に、身体障害者であることを申告する身障者釦１０２を備えた。そして、複数のかごを管理する群管理制御装置３００は、身障者釦１０２が押された場合にのみ（身体障害者であるこの申告があった場合にのみ）、各かごに対応するホールランタンの点灯指令やチャイムの鳴動指令を発する構成である。【００２５】
（かご制御装置２００Ａ）
かご制御装置２００Ａ、２００Ｂは、ビル内に設置されたかご２５０Ａ、２５０Ｂごとに設けられ、各かご２５０Ａ、２５０Ｂに対応するホールランタン４００Ａ、４００Ｂ（発光装置の一例）やチャイム５００Ａ、５００Ｂ（音声発生装置の一例）とも接続され、群管理制御装置３００の制御下で、接続されたそれぞれの機器を制御する。ホールランタンやチャイムは、乗るべきかごを身体障害者に通報する通報装置の一例である。図２に示すように、乗場行先階呼び登録装置１００Ａ、１００Ｂが設置されているエレベータ乗場には、各かごの乗場側の扉の周辺に、各かごに対応するホールランタン、チャイムが設置されている。また、かご番号を示すかご番号表示プレート２６０Ａ、２６０Ｂが設置されている。【００２６】
（乗場行先階呼び登録装置１００Ａ）
図３（ａ）は、乗場行先階呼び登録装置１００Ａの外観を示しており、図２の乗場行先階呼び登録装置１００Ａを拡大した図である。図３（ｂ）は、乗場行先階呼び登録装置１００Ａの主要な構成要素を示すブロック図である。乗場行先階呼び登録装置１００Ｂは乗場行先階呼び登録装置１００Ａと同じ構成である。図３（ａ）に示すように、乗場行先階呼び登録装置１００Ａ（乗場操作盤とも呼ばれる）は、乗場において行先階呼びの登録が可能な乗場入力手段として０〜９までのそれぞれの数字を持った釦で構成されるテンキーなどの行先階登録釦１０１と、利用客が身体障害者であることを申告するための身障者釦１０２と、入力された行先階と割当てられたかごの番号を表示する例えば液晶表示器である表示部１０３とを備えている。乗場行先階呼び登録装置１００Ａは、行先階登録釦１０１から入力された行先階の情報と、身障者釦１０２の押下の有無を示す情報とを群管理制御装置３００に送信する。群管理制御装置３００は、乗場行先階呼び登録装置１００Ａから送信された前記情報に基づきかごの割当を決定し、この割当かご情報を乗場行先階呼び登録装置１００Ａに送信する。【００２７】
図３（ｂ）に示すように、乗場行先階呼び登録装置１００Ａは、行先階受付部１１０と、身体障害者申告受付部１２０と、表示回路部１３０と、通信部１４０とを備えている。
（１）行先階受付部１１０は行先階登録釦１０１を備えている。行先階受付部１１０は、行先階登録釦１０１を介してエレベータに対する行先階呼び（行先階）を受け付ける。
（２）身体障害者申告受付部１２０は身障者釦１０２を備えている。身体障害者申告受付部１２０は、身障者釦１０２が押し下げ（操作）されると身体障害者であることの申告を受け付け、身体障害者であることを示す身体障害者信号を出力する。
（３）表示回路部１３０は表示部１０３を備えている。表示回路部１３０は、表示部１０３に所定の情報を表示する。
（４）通信部１４０は、群管理制御装置３００と通信する。【００２８】
（群管理制御装置３００）
図２に示すように、群管理制御装置３００は、身障者検出部３１１を有する呼び検出部３１０（入力部）と、割当て評価値演算部３２１と割当てかご決定部３２２とを有する呼び登録部３２０とを備えている。呼び検出部３１０は、乗場行先階呼び登録装置１００Ａあるいは乗場行先階呼び登録装置１００Ｂから呼びを検出する。この時、身障者検出部３１１は、呼び（行先階呼び）が検出された場合に、身障者釦１０２の押下の有無を検出する。呼び検出部３１０は、検出した呼びと、身障者検出部３１１により「身障者釦１０２の押下有り」が検出された場合には「身障者釦１０２の押下有り」の情報とを、割当て評価値演算部３２１に出力する。【００２９】
割当て評価値演算部３２１は、割当ての対象となる全てのかご２５０Ａ、２５０Ｂについて、呼び検出部３１０から入力された呼びに対する評価値を演算する。割当て評価値演算部３２１は、演算の結果によるかご２５０Ａ、かご２５０Ｂの評価値を割当てかご決定部３２２に出力する。評価値の演算は従来技術である。【００３０】
割当てかご決定部３２２は、割当て評価値演算部３２１から入力されたかご２５０Ａ、２５０Ｂの各評価値を比較し、最適なかごを決定する。割当てかご決定部３２２は、決定された割当てかごに対応するかご制御装置２００Ａまたはかご制御装置２００Ｂに対象のかごを応答させるかご応答指令と、「身障者釦１０２の押下有り」が検出された場合には、ホールランタン点灯を指令する信号及びチャイム鳴動を指令する信号を送信する。割当てかご決定部３２２は、行先階の入力があった乗場行先階呼び登録装置１００Ａ（あるいは乗場行先階呼び登録装置１００Ｂ）に、割り当てが決定されたかごの番号の表示を指令する割当かご番号表示指令を送信する。乗場行先階呼び登録装置は割当かご番号表示指令を受信すると、表示部１０３に表示する。【００３１】
（動作の説明）
図４は、エレベータシステム１０００の処理の流れ示すフローチャートである。図４のフローチャートに従って動作を説明する。以下の動作説明では、乗場行先階呼び登録装置１００Ａが操作された場合を例に説明するが、乗場行先階呼び登録装置１００Ｂが操作された場合も同じである。以下の説明では、乗場行先階呼び登録装置１００Ａから行き先階呼びが入力され、群管理制御装置３００が、この入力に対して「かご２５０Ｂ」の割り当てを決定した場合を想定して説明する。【００３２】
（乗場行先階呼び登録装置１００Ａ）
乗場にて乗場行先階呼び登録装置１００Ａの行先階登録釦１０１から行先階が入力されると、行先階受付部１１０は、入力された行先階に対応する行先階呼びを発生する（Ｓ１）。【００３３】
行先階呼びが発生すると、表示回路部１３０は、行先階登録釦１０１から入力された行先階を表示部１０３に表示する（Ｓ２）。【００３４】
身体障害者申告受付部１２０は、行先階の入力と同時に身障者釦１０２の押下の有無を検出し（Ｓ３）、検出結果を「身障者釦１０２の押下の有無を示す情報」（以下、身障者情報という）として出力する。身障者釦１０２が押された場合、身体障害者申告受付部１２０は「身障者釦１０２の押下有り」を検出し、身障者情報として「身障者釦１０２の押下有りを示す情報」（身体障害者信号の一例）を出力する。通信部１４０は、群管理制御装置３００に、ネットワーク７００を介して「行先階呼び情報」と「身障者情報」とを伝送する。【００３５】
（群管理制御装置３００）
呼び検出部３１０は、ネットワーク７００を介して「行先階呼び情報」と「身障者情報」とを受信する。呼び検出部３１０は、受信した「行先階呼び情報」から行先階呼びを検出する。また、身障者検出部３１１は、受信した「身障者情報」から身障者釦１０２の押下の有無を検出する。呼び検出部３１０は、検出した呼び（行先階呼び）と共に、身障者検出部３１１により「身障者釦１０２の押下有り」が検出された場合には「身障者釦１０２の押下有り」の情報を割当て評価値演算部３２１に出力する。割当て評価値演算部３２１は行先階呼びを登録し、割当ての対象となる全てのかご２５０Ａ、２５０Ｂについて、呼び検出部３１０から入力された呼びに対する評価値を演算する。割当て評価値演算部３２１は、演算の結果によるかご２５０Ａ、かご２５０Ｂの評価値を割当てかご決定部３２２に出力する。【００３６】
割当てかご決定部３２２は、評価値に基づき管理内のかごから最適なかごを選択する。この時、割当てかご決定部３２２は、かごの中に身体障害者用の身体障害者対応かごと健常者用かごとの区別がある場合には、身体障害者対応かごの中から最適なかごを選択する（Ｓ４）。すなわち、割当てかご決定部３２２は、行先階受付部１１０により行先階呼びが受け付けられたときに身体障害者申告受付部１２０から身体障害者信号が出力された場合には、登録された行先階呼びに対して割り当てるべきエレベータかごを、身体障害者用として予め設定されている少なくとも１台の身体障害者用のエレベータかごの中から決定する。この例では、割当てかご決定部３２２は、かご２５０Ｂを決定したとする。【００３７】
割当てかご決定部３２２は、決定した割当かごの番号２５０Ｂを行先階呼びの入力があった乗場行先階呼び登録装置１００Ａに送信する。【００３８】
乗場行先階呼び登録装置１００Ａの通信部１４０が前記かごの番号２５０Ｂを受信する。表示回路部１３０は、通信部１４０により受信された前記かご（割当てかご）の番号２５０Ｂを表示部１０３に表示する（Ｓ５）。【００３９】
また、割当てかご決定部３２２は、決定された割当てかご２５０Ｂを制御するかご制御装置２００Ｂに、ホールランタン４００Ｂの点灯を指令するホールランタン点灯指令と、チャイム５００Ｂの鳴動を指令するチャイム鳴動指令とを送信する。かご制御装置２００Ｂは、かご２５０Ｂに対応するホールランタン４００Ｂを点灯させるとともに、かご２５０Ｂに対応するチャイム５００Ｂを鳴動させる（Ｓ６）。割当てかご決定部３２２は、併せてかご制御装置２００Ｂに「かご応答指令」を送信し、行先階呼びが登録された階にかご２５０Ｂを応答させる（Ｓ７）。【００４０】
割当てかご決定部３２２は、行先階呼びの入力時に、身障者検出部３１１によって身障者釦１０２の押下が検出されていない場合には、すなわち、管理内のかごから最適なかごを選択（決定）し（Ｓ８）、決定した割当かごの番号を行先階呼びの入力があった乗場行先階呼び登録装置１００Ａに送信する。この場合も、割当てかご決定部３２２は、かご２５０Ｂを決定したとする。【００４１】
乗場行先階呼び登録装置１００Ａの通信部１４０が前記かごの番号２５０Ｂを受信する。表示回路部１３０は、通信部１４０により受信された前記かごの番号２５０Ｂを表示部１０３に表示する（Ｓ９）。【００４２】
割当てかご決定部３２２は、呼び検出部３１０から「身障者釦１０２の押下有り」の身障者情報が入力されない場合には、割当かご２５０Ｂを制御するかご制御装置２００Ｂに、ホールランタン点灯指令とチャイム鳴動指令とのいずれも送信することなく「かご応答指令」のみを送信し、行先階呼びが登録された階にかご２５０Ｂを応答させる（Ｓ１０）。【００４３】
図２及び図４の例では、行先階の入力時に身障者釦１０２が押された場合は、割当てかごに対応するホールランタンを点灯させ、また割当てかごに対応するチャイムを鳴動させた。しかしホールランタンとチャイムとのどちらか一方を動作させても良い。すなわち、次のような場合である。【００４４】
（チャイムの鳴動の場合）
チャイムのみを鳴動させる場合を説明する。エレベータシステムは、通報装置としてチャイムを備え、ホールランタンを備えなくてもよい。この場合、身障者釦１０２は、視覚障害者用に設けられている。行先階の入力時に視覚障害者用の身障者釦１０２が押された場合は、チャイムのみが動作する。動作内容は図４と同様である。【００４５】
（ホールランタン点灯の場合）
ホールランタンのみを点灯させる場合を説明する。エレベータシステムは、通報装置としてホールランタンを備え、チャイムを備えなくてもよい。この場合、身障者釦１０２は、聴覚障害者用に設けられている。行先階の入力時に聴覚障害者用の身障者釦１０２が押された場合は、ホールランタンのみが動作する。なお聴覚障害者に知らせるための通報装置はホールランタンに限らず、かごに対応して設置され通報として所定の情報を表示する表示装置（例えば液晶表示器）でもよい。例えば、行先階として３階が入力された場合、表示装置は、所定の情報として「３階行きのかごが到着します」等の表示を表示する。【００４６】
図５は、視覚障害者のためアナウンスを行う場合の動作を示すフローチャートである。各かご制御装置は、図２に示すようにアナウンスのためのスピーカ６００Ａ、６００Ｂを備えている。また、乗場行先階呼び登録装置１００Ａは、アナウンスのためのスピーカ１０４を備えている。視覚障害者がより利用しやすいように、身障者釦１０２が押された（Ｓ１１）場合は、表示回路部１３０は、行先階登録釦１０１により入力された行先階の表示と同時に、入力された行先階をスピーカ１０４からアナウンスする（Ｓ１２）。また、割当てかご決定部３２２は割当かごを決定する（Ｓ１３）と、割当てかご決定部３２２は、表示回路部１３０を介して表示部１０３に割当かご番号を表示させると同時に、割当かご番号をスピーカ６００Ｂ（かご２５０Ｂが割当て決定の場合）からアナウンスさせ（Ｓ１４）、かつ、当該かごのホールランタンを点灯、チャイムを鳴動させる（Ｓ１５）。なお、割当てかご決定部３２２は、応答（Ｓ１６）したかごが乗場に到着した場合に当該かごの番号をスピーカ６００Ｂからアナウンス（Ｓ１７）させてもよい。【００４７】
この実施の形態１のエレベータシステム１０００によって、身体障害者が呼びを作ると乗るべきかごのホールランタンが点灯し、乗るべきかごのチャイムが鳴動する。このため、身体障害者は、自分の乗るべきかごを判断しやすくなり、乗るべきかごまでスムーズに移動できる。エレベータシステム１０００は、身障者釦１０２が押された場合にのみホールランタンの点灯を行うので、ホールランタンを点灯させる電源容量が少なくて済む。【００４８】
以上の実施の形態では、
身障者釦を備えた乗場行先階呼び登録装置と、
各かごの評価値を演算して最適な割当てかごを選択する群管理制御装置と、
それぞれのかごを制御するかご制御装置と、
各かごに対応するチャイムと、
各かごに対応するホールランタンとを備え、
乗場行先階呼び登録装置の身障者釦が押されると共に行先階呼びが登録されると、割当てられたかごのチャイムを鳴動させ、かつ、ホールランタンを点灯させることを特徴とするエレベータシステムを説明した。【００４９】
以上の実施の形態では、
身障者釦が押されると共に行先階呼びが登録されると、割当てられたかごのチャイムの鳴動のみを行うエレベータシステムを説明した。【００５０】
以上の実施の形態では、
身障者釦が押されると共に行先階呼びが登録されると、割当てられたかごのホールランタンの点灯のみを行うエレベータシステムを説明した。
【図面の簡単な説明】
【００５１】
【図１】実施の形態１の乗場行先階呼び登録装置１００Ａ、群管理制御装置３００のハードウェア資源の一例を示す図。
【図２】実施の形態１のエレベータシステム１０００のシステム構成図。
【図３】実施の形態１の乗場行先階呼び登録装置１００Ａの外観と構成を示す図。
【図４】実施の形態１のエレベータシステム１０００の処理を示すフローチャート。
【図５】図４のフローチャートにアナウンスによる誘導を加えた場合の図。
【符号の説明】
【００５２】
１００Ａ，１００Ｂ  乗場行先階呼び登録装置、１１０  行先階受付部、１０１  行先階登録釦、１２０  身体障害者申告受付部、１０２  身障者釦、１３０  表示回路部、１０３  表示部、１０４  スピーカ、１４０  通信部、２００Ａ，２００Ｂ  かご制御装置、２５０Ａ，２５０Ｂ  かご、２６０Ａ，２６０Ｂ  かご番号表示プレート、３００  群管理制御装置、３１０  呼び検出部、３１１  身障者検出部、３２０  呼び登録部、３２１  割当て評価値演算部、３２２  割当てかご決定部、４００Ａ，４００Ｂ  ホールランタン、５００Ａ，５００Ｂ  チャイム、６００Ａ，６００Ｂ  スピーカ、７００  ネットワーク、１０００  エレベータシステム。
【図１】
2009141901.tif 000003
【図２】
2009141901.tif 000004
【図３】
2009141901.tif 000005
【図４】
2009141901.tif 000006
【図５】
2009141901.tif 000007
【国際調査報告】
2009141901.tif 000008
2009141901.tif 000009
2009141901.tif 000010
2009141901.tif 000011